(57)【特許請求の範囲】
【請求項１】
支持台（１）上の後方にロール支持軸（３）を、前方に前記ロール支持軸（３）と間隔を置いて平行になるように円盤支持軸（６）をそれぞれ設け、
前記ロール支持軸（３）には、シートロール（４）の芯孔（５）に挿入するロール支持軸（３）が取り外し可能な軸受部（２）、（２）を設け、
前記円盤支持軸（６）には、外周に防滑面（１１）を形成した円盤（８）をその中心に設けた回転軸（１０）によりフリー回転するように軸着し、
該回転軸（１０）の位置を前記円盤支持軸（６）上でスライド調整可能とする円盤移動手段（１５）を設け、
前記円盤（８）にはカッター刃（９）を放射方向に複数間隔を置いて突設して成る作物栽培用農地被覆シートの間隔孔開け装置。
【請求項２】
支持台（１）上の後方にロール支持軸（３）を、前方に前記ロール支持軸（３）と間隔を置いて平行になるように円盤支持軸（６）をそれぞれ設け、
前記ロール支持軸（３）には、シートロール（４）の芯孔（５）に挿入するロール支持軸（３）が取り外し可能な軸受部（２）、（２）を設け、
前記円盤支持軸（６）には、外周に防滑面（１１）を形成した円盤（８）をその中心に設けた回転軸（１０）によりフリー回転するように軸着し、
該回転軸（１０）の位置を前記円盤支持軸（６）上でスライド調整可能とするとともに、前記支持台（１）の前下方に設けたスライド支持軸（１６）にスライド調整可能に直立させた直立支持軸１８の上端に前記円盤支持軸（６）を固定した円盤移動手段（１５）を設け、
前記円盤（８）にはカッター刃（９）を放射方向に複数間隔を置いて突設して成る作物栽培用農地被覆シートの間隔孔開け装置。
【発明の詳細な説明】
【０００１】
【発明が属する技術分野】
本発明は、苺などの農作物を栽培するために、農地を覆って、作物周囲の地面の保温と保湿を図るとともに、雑草の繁殖を防止する作物栽培用農地被覆シートに対して、作物がシート上に生長するための孔を開けるための装置に関する。
【０００２】
【従来の技術】
これまで、苺などの農作物を栽培するために、農地の畝上を覆って、作物周囲の地面の保温と保湿を図るとともに、雑草の繁殖を防止する作物栽培用農地被覆シートに対して、それらの農作物がシート上に生長できるようにするために、作物の苗木の真上部分を切り開くことが行われている。
【０００３】
通常、その孔開け作業については、シートを敷いた後に、農作物が当たって膨らんだ部分に対して指や爪で摘んで切り開いているのが実情である。この孔開け作業は、中腰に屈めたりしゃがんだりしての作業となるので大変に重労働となっていた。
そこで、そのようなきつい仕事である人による孔開け作業をやめて、機械的に行ってしまおうとする装置が提案された。
【０００４】
例えばこれまで、実開昭６３−４５４６４においては、シートの上から切り刃付きの円板を転がすゲージカッターが、また、実開平２−１２７１５２においては、農地に敷く前のロール状態においてそのシートを錐刃に刺さらせて巻き取る孔開け機が、さらに、特開平８−１４０４９６においては、農地トラクターに付設してロールのシートを農地上に敷きつつ孔を開けていく装置がそれぞれ提案されている。
【０００５】
【発明が解決しようとする課題】
提案された上記の装置では、シート上で人の力で円板の転がし作業をしなければならなず、またそのことによってシートの下の苗が切られたり、折れ曲がったり、また潰れたりする難点や、孔の間隔や位置の調節困難性や、トラクターがないと持ち運びできないなどの難点があった。
また、開けられた孔の位置が苗木の真上部分の位置にくるように、カッターの位置を微妙に調節するのが大変に困難であった。
【０００６】
本発明は、従来のかかる難点を解消するためになされたもので、使用場所への持ち運びが容易で、農地上においてシートに開ける孔の位置や間隔の調節も手軽に行え、且つ軽い作業で簡単にシートの孔開けができる簡潔な構造の装置を提供するものである。
【０００７】
上記課題を解決するための本発明における作物栽培用農地被覆シートの間隔孔開け装置は、支持台１上の後方にロール支持軸３を、前方に前記ロール支持軸３と間隔を置いて平行になるように円盤支持軸６をそれぞれ設け、前記ロール支持軸３には、シートロール４の芯孔５に挿入するロール支持軸３が取り外し可能な軸受部２、２を設ける。前記円盤支持軸６には、外周に防滑面１１を形成した円盤８をその中心に設けた回転軸１０によりフリー回転するように軸着し、該回転軸１０の位置を前記円盤支持軸６上でスライド調整可能とする円盤移動手段１５を設け、前記円盤８にはカッター刃９を放射方向に複数間隔を置いて突設して構成されるものである。
【０００８】
また、支持台１上の後方にロール支持軸３を、前方に前記ロール支持軸３と間隔を置いて平行になるように円盤支持軸６をそれぞれ設け、前記ロール支持軸３には、シートロール４の芯孔５に挿入するロール支持軸３が取り外し可能な軸受部２、２を設け、前記円盤支持軸６には、外周に防滑面１１を形成した円盤８をその中心に設けた回転軸１０によりフリー回転するように軸着し、該回転軸１０の位置を前記円盤支持軸６上でスライド調整可能とするとともに、前記支持台１の前下部に設けたスライド支持軸１６にスライド調整可能に直立させた直立支持軸１８の上端に前記円盤支持軸６を固定した円盤移動手段１５を設け、前記円盤８にはカッター刃９を放射方向に複数間隔を置いて突設して構成される。
【００１１】
【発明の実施の形態】
本発明の実施の形態を、図の実施例で以下詳しく説明する。
本発明の作物栽培用農地被覆シートの間隔孔開け装置は、図１に示すように、後方に２本の長いパイプを立てるとともに前方に間隔を置いて平行になるように２本の短いパイプを立て、それらのパイプを平行なパイプを架設して繋ぎ合わせて支持台１を組み立てる。
前記後方に２本の長いパイプには、上方が開放された軸受部２、２を設けて、シートロール４の芯孔５に挿入するロール支持軸３が取り外しできるようにする。
【００１２】
また前方の２本の短いパイプには、前記ロール支持軸３と間隔を置いてスライド支持軸１６を設けて、そのスライド支持軸１６上に直立支持軸１８を直立固定したスライド移動軸１７がスライド移動できるように円盤移動手段１５を設ける。
そして直立支持軸１８に円盤支持軸６を前記ロール支持軸３と平行になるように固定する。
【００１３】
そして前記円盤支持軸６には、外周に表面に凹凸を形成したゴム帯を捲き着けて防滑面１１を形成するとともにカッター刃９を放射方向に複数間隔を置いて突設した円盤８をその中心に設けた回転軸１０によりフリー回転するように軸着する。
前記ロール支持軸３とスライド支持軸１６との間隔は、ロールの表面がカッター刃９の先端に接触しないで回転し、シートをスムーズに引き出すことができる間隔である。
【００１４】
そして、前記支持台１にロール支持軸３と円盤８の回転軸１０との間にシートＳを下方に引き下げる整張棒１３を架設する。
【００１５】
前記円盤８の数は、作物の列の数に合わせて１個の場合もできるが、複数個設けることもできる。（図１及び図２は２個、図３は３個設けた態様をそれぞれ示す。）
【００１６】
また、円盤８の盤面８ａには刃調節手段１４を設けてカッター刃９を出没調節可能及び／又は着脱自在可能にする。
前記刃調節手段１４は、図２に示すように、替え刃型のカッターをネジ止により盤面８ａに着脱できるようにする態様が可能である。
【００１７】
【作用】
本発明は上記構成であるので、図４に示すように、シートロール４のシートＳを引き出すと前記防滑面１１の摩擦抵抗で前記刃付き円盤８が従動回転すると同時に突出したカッター刃９がシートＳ面に刺さって定間隔の切り孔１２ができる。
【００１８】
また、図１に示すように、刃調節手段１４で、前記刃付き円盤８にカッター刃９を出没調節可能及び／又は着脱自在可能とすることで、カッター刃９を没するか離脱させればその部分のカッター刃９の取り付け位置にはシートＳに孔が開かないようにすることも可能となり、このようにすれば容易にシートＳに開けられる切り孔１２の直列間隔を調節することができる。
【００１９】
さらに、前記回転軸１０の位置を前記円盤支持軸６上でスライド調整可能とするとともに、前記支持台１の前下部に設けたスライド支持軸１６にスライド調整可能に直立させた直立支持軸１８の上端に前記円盤支持軸６を固定した円盤移動手段１５を設けた形態では、図１、図２および図３に示すように、その円盤移動手段１５で、前記刃付き円盤８の回転軸１０の位置をスライド移動により調整し、シートＳの切り孔１２の位置の調節が可能となる。
また、該回転軸１０の位置を前記円盤支持軸６上でスライド調整可能とする円盤移動手段１５を設けた形態では、図１、図２および図３に示すように、円盤８、８間の間隔を変えたりしてシートＳの切り孔１２の位置や相互の間隔の調節が可能となる。
【００２０】
図１では、間隔ｂを中心に、両側の間隔ａと間隔ｃと同じように調節され、図２では、端の間隔ｄが狭く、中央と別の端の間隔ｅと間隔ｆとが同じように調節され、図３では、切り孔１２が３列となり、その間の間隔ｇ、ｈ、ｉ、ｊはそれぞれ異なる間隔となっている。
このように、切り孔１２の位置と間隔の調節は刃付き円盤のスライド移動軸１７をスライド支持軸１６上にスライド移動させれば良いので、その調節の操作は大変簡単である。
【００２１】
そして、前記支持台１にロール支持軸３と刃付き円盤８の回転軸１０との間にシートＳを下方に引き下げる整張棒１３を架設することによって、シートの弛みをとり、円滑なシートの送りと、確実な切り孔１２の切り込みができるようになる。
なお、切り孔１２は切除開口させずに、切れ目とした方が、保温及び保湿上好ましく且つ作物の根元に雑草が生えるの防ぐことができる。
【００２２】
そして、畝に被せるために、シートロール４からシートＳを引き出すと、前記防滑面１１の摩擦抵抗により円滑なシート送がなされ、自動的に前記刃付き円盤８が従動回転すると同時に突出したカッター刃９がシートＳ面に正確な間隔を保持して確実に刺さって定間隔の切り孔１２を開けていく。
【００２３】
【発明の効果】
本発明は、以上説明したようであり、本発明はシートロール４を装着したままでも良いが、分離すれば農地ヘの運び込みが楽である。
シートロール４からのシートの引き出し被せ作業をしながら同時に自動的に孔開けがなされるので、別に孔開けのための作業をしなくても良く、その分作業が軽減される。
【００２４】
また、シートに開ける切り孔１２の間隔や位置は、刃調節手段１４と円盤移動手段１５とにより農地上において手軽に行うことができ、例えば直列間隔や並列間隔の調節作業がきわめて容易となる。
さらに、刃こぼれなどで切れなくなったカッター刃９は刃調節手段１４によって新しい刃に交換すれば切れ味を維持させることが容易となる。
さらに、全体が簡潔な構造なので、軽量化を図ることができるとともに分解や組み立ても簡単であり、製品を経済的なコストで製造することができる利点がある。
【図面の簡単な説明】
【図１】本発明の斜視図
【図２】別の形態の斜視図。
【図３】また別の形態の斜視図。
【図４】使用状態を示す斜視図。
【符号の説明】
１    支持台
２    軸受部
３    ロール支持軸
４    シートロール
５    芯孔
６    円盤支持軸
７    軸受部
８    円盤
８ａ  円盤の円盤面
１０    円盤の回転軸
１１    防滑面
１２    切り孔
１３    整張棒
１４    刃調節手段
１５    円盤移動手段
１６    円盤のスライド支持軸
１７    円盤のスライド移動軸
１８    円盤の直立支持軸
Ｓ    シート
Ｂ    作物
Ｇ    農地
【図１】
0003755875.tif 000002
【図２】
0003755875.tif 000003
【図３】
0003755875.tif 000004
【図４】
0003755875.tif 000005